(57)【要約】【課題】カートリッジをカートリッジ収納ケースに収納した状態で、カートリッジ収納ケースの落下等の衝撃がコーナー部Ｃに加わっても、カートリッジの稜線が破損されないカートリッジ収納ケースを提供する。【解決手段】複数個のカートリッジを並置させて収容する区画室を形成されたカートリッジ収納上ケース１００ｕ３と、前記区画室と対向する位置に実質同じ形状の区画室が形成されたカートリッジ収納下ケース１００ｄと、から成り、相互に係合する凸部と凹部とを備えた同一構造の上ケース２３と下ケース２５を重ね合わせることで内部に倍の広さの区画室１００Ｓが形成されるカートリッジ収納ケース１００において、カートリッジ収納ケースの収納されたカートリッジの稜線に対向する部位に迂回部位１３７を形成し内部に空間部Ｋを形成した。【選択図】図１
2007197080.tif 000002
【特許請求の範囲】
【請求項１】
磁気テープ巻回リールが内設される扁平体状のカートリッジの複数個を厚み方向に並置させてブロック状としたカートリッジ群を保持する区画室を形成されたカートリッジ収納上ケースと、前記区画室と対向する位置に実質同じ形状の区画室が形成されたカートリッジ収納下ケースと、から成り、相互に係合する凸部と凹部とを備えた同一構造の前記上ケースと前記下ケースを重ね合わせて前記凸部と前記凹部とを係合することで内部に前記区画室の倍の広さの区画室が形成されるカートリッジ収納ケースにおいて、
前記カートリッジ収納ケースの前記収納されたカートリッジの稜線から一定の距離をおいて離反させる迂回部位を形成して、その内部の稜線に対向する部位に空間部Ｋを形成したことを特徴とするカートリッジ収納ケース。
【請求項２】
前記区画室を複数個形成されたことを特徴とする請求項１記載のカートリッジ収納ケース。
【請求項３】
前記カートリッジの側面に一部接するリブを前記空間部に設けたことを特徴とする請求項１記載のカートリッジ収納ケース。
【請求項４】
前記リブが複数個であることを特徴とする請求項２記載のカートリッジ収納ケース。
【発明の詳細な説明】
【技術分野】
【０００１】
本発明は、磁気テープ巻回リールが内設される扁平体状のカートリッジを収納するカートリッジ収納ケースに関する。
【背景技術】
【０００２】
従来、ワンリール型の磁気記録テープカートリッジを集積包装する場合、図８に示すように、各カートリッジ１を１巻単位でケース３に収納し、そのケース３を複数個毎に段ボールの箱５に詰めて緩衝性を保持していた。
しかし、この集積包装の場合、カートリッジ１が段ボール箱５内に収納されるため、カートリッジ１の有無や種別等を確認するためには段ボール箱５を開封する必要があり、利便性に問題があった。また、段ボール詰めでは浸水時に濡れてしまい、段ボール箱５が壊れてしまうという問題もあった。
【０００３】
このようなことから、水に濡れてもケース強度に支障を来さず、中身の見える透明のプラスチックでカートリッジ１を集積包装する例えば図９に示すケース７が非特許文献１に開示され、市場に提供されるようになった。
【非特許文献１】ＵＴＯ−Ｕｌｔｒｉｕｍ  Ｌ−ｐａｃｋ、［online］、ＴＤＫ株式会社、[平成１７年１１月１４日検索]、インターネット＜URL:http://www.tdk.com/professional/lto/ltopack.html＞
【０００４】
しかしながら、上記非特許文献１記載のケース７は、個々のカートリッジ１を収納するための収納空間９が複数の仕切り突起１１に区画され、この収納空間９にカートリッジ１を１巻単位で保管するものであった。つまり、カートリッジが分散収納されていた。このため、実際の収納作業ではカートリッジ１を一つ一つ納めることとなり、特にカートリッジ１が大量にある場合には使い勝手が悪くなる問題があった。また、上記ケース７においては、収納空間９が一つ一つで区画されているため、収納面積（すなわち、ケース７の上面開口面積）の全体が個々の収納空間９によって等分割される。このため、最端部のケース部位１３，１５では、収納カートリッジの略全数の荷重が集中し、耐衝撃性に乏しくなり、落下時における衝撃吸収能力が低くなるという問題があった。
【０００５】
本出願人は上記状況に鑑みて、耐衝撃性を保持しつつ、収納作業効率の高いカートリッジ収納ケースを先に開発した（以下、これを先行発明と言う）。
【０００６】
図１０は先行発明としてのカートリッジ収納ケースを示している。
このカートリッジ収納ケース１００は、同一構造の上ケース２３と、下ケース２５とを上下から重ね合わせて係合することにより、開閉可能となる。これら上ケース２３と下ケース２５とを係合することにより、その内部には複数（図では４つ）の区画室２７が形成されるようになっている。それぞれの区画室２７には、複数（図では５個）のカートリッジ２１が厚み方向に並置させたカートリッジ群２９を１ブロックとして収納される。
【０００７】
カートリッジ収納ケース１００は、相互に係合する凸部（凸条）４１，と凹部（凹溝）４３とを備えた同一構造の上ケース２３と下ケース２５とからなる。ここでは４つの区画室２７を包囲する周囲に、ケースセンター線を中心に線対称に上下に凸条４１と凹溝４３とが形成されている。
同一構造である上ケース２３と下ケース２５とが、上下に組み合わされたときに、凸条４１が凹溝４３に入り込み、双方が係合することにより、区画室２７が密閉されて、耐水性を得ることができ、カートリッジ２１を保護することができる。
【０００８】
カートリッジ収納ケース１００は、カートリッジ群２９が収納される区画室２７同士の間に、仕切り部４７が介在することで、例えば落下等により各カートリッジ群２９毎に衝撃が加わった場合であっても、仕切り部４７が衝撃を吸収し、カートリッジ群２９群同士の慣性による衝撃力が、相互に影響を及ぼさないようになっている。
【０００９】
上ケース２３、下ケース２５のそれぞれは、可塑性樹脂の一体成形品からなる。このため、比較的取り扱い性が容易な材料を用いて、ケートリッジを確実に保護する堅牢性と、適宜な衝撃吸収性を備えた上ケース２３、下ケース２５が容易かつ安価に量産可能となっている。
【００１０】
図１１は複数個のカートリッジをカートリッジ収納ケースに収納する手順を示す図である。
（イ）において２３は上ケース、２５は下ケース、Ｃ１はカートリッジ収納ケース内の同一区画室に収納されるべき第１カートリッジ群、Ｃ２はカートリッジ収納ケース内の同一区画室に収納されるべき第２カートリッジ群である。
（ロ）は第１カートリッジ群Ｃ２と第２カートリッジ群Ｃ２がそれぞれ下ケース２５内に収納された状態を示している。この後、２５を上ケース２３が覆う。
（ハ）で、この後、上ケース２３が下ケース２５の上に被せられる。
（ニ）で、上ケース２３と下ケース２５が一体となり、透明なカートリッジ収納ケースの中に第１カートリッジ群と第２カートリッジ群とがそれぞれ別の区画室に収納されている様子が窺える。
【００１１】
このようなカートリッジ収納ケースによれば、複数のカートリッジを厚み方向に並置させてブロック状としたカートリッジ群を保持する少なくとも一つの区画室を形成したので、複数のカートリッジをブロック状に纏めた分、同一の収納面積で複数のカートリッジを分散収納する場合に比べ、収納に寄与しない余剰面積を確保することができる。
そして、この余剰面積部分を衝撃吸収部として利用することにより、ケース落下時等の衝撃を吸収し、収容カートリッジに対する耐衝撃性を向上させることができる。
また、従来のように、複数のカートリッジを個々に収納する必要がないので、厚み方向に重ねて保持した複数のカートリッジを纏めて区画室に納めることができ、短時間に効率の良い収納が可能となり、収納作業効率を大幅に向上させることができる。
【発明の開示】
【発明が解決しようとする課題】
【００１２】
このように上記カートリッジ収納ケースはいろいろな点で優れていることが判ったが、ただ克服すべき弱点もあることに気がついた。それは、図１０のカートリッジ収納ケースの区画室のコーナー部Ｃが断面で直角に形成されているため、区画室に収納されるカートリッジは、その稜線がコーナー部Ｃに密に接した状態で収納されることになる。
ところが、このようにカートリッジをカートリッジ収納ケースに収納した状態で、カートリッジ収納ケースを落下するなどして衝撃がコーナー部Ｃに加わると、その衝撃がそのままカートリッジの稜線に伝わり、カートリッジで特に弱いとされる稜線は破損する恐れが大きかった。
【００１３】
本発明はかかる欠点を解決するためになされたもので、カートリッジをカートリッジ収納ケースに収納した状態で、カートリッジ収納ケースの落下等の衝撃がコーナー部Ｃに加わっても、カートリッジの稜線が破損されないカートリッジ収納ケースを提供することを目的としている。
【課題を解決するための手段】
【００１４】
上記欠点を解決するため、請求項１記載の発明はカートリッジ収納ケースに係り、磁気テープ巻回リールが内設される扁平体状のカートリッジの複数個を厚み方向に並置させてブロック状としたカートリッジ群を保持する区画室を形成されたカートリッジ収納上ケースと、前記区画室と対向する位置に実質同じ形状の区画室が形成されたカートリッジ収納下ケースと、から成り、相互に係合する凸部と凹部とを備えた同一構造の前記上ケースと前記下ケースを重ね合わせて前記凸部と前記凹部とを係合することで内部に前記区画室の倍の広さの区画室が形成されるカートリッジ収納ケースにおいて、前記カートリッジ収納ケースの前記収納されたカートリッジの稜線に対向する部位に空間部を形成したことを特徴としている。
請求項２記載の発明は、請求項１記載のカートリッジ収納ケースにおいて、前記区画室を複数個形成されたことを特徴としている。
請求項３記載の発明は、請求項１又は２記載のカートリッジ収納ケースにおいて、前記カートリッジの側面に一部接するリブを前記空間部に設けたことを特徴としている。
請求項４記載の発明は、請求項３記載のカートリッジ収納ケースにおいて、前記リブが複数個であることを特徴としている。
【発明の効果】
【００１５】
上記の構成により、カートリッジをカートリッジ収納ケースに収納した状態で、カートリッジ収納ケースの落下等の衝撃がコーナー部Ｃに加わっても、カートリッジの稜線が破損されないようになる。
【発明を実施するための最良の形態】
【００１６】
以下、本発明に係るカートリッジ収納ケースの好適な実施の形態について、図面を参照して詳細に説明する。
〈１区画室のカートリッジ収納ケースに適用した例〉
〈実施例１〉
図１は本発明の実施例１に係るカートリッジ収納ケースで、１個の区画室から成るカートリッジ収納ケースを説明する概念図で、（ａ）は本発明に係る縦断面図、（ｂ）は先行発明に係る縦断面図である。
図１（ｂ）において、カートリッジ収納ケース５００はそれぞれ上ケース５００ｕと下ケース５００ｄから構成され、上ケース５００ｕと下ケース５００ｄが互いに重なり合うことで、内部に区画室５００Ｓが形成され、そこに複数（図で５個）のカートリッジ２１がガタツキなく収納されている。
一方、図１（ａ）において、カートリッジ収納ケース１００はそれぞれ上ケース１００ｕと下ケース１００ｄから構成され、上ケース１００ｕと下ケース１００ｄが互いに重なり合うことで、内部に区画室１００Ｓが形成され、そこに複数（図で５個）のカートリッジ２１がガタツキなく収納されている。
以上の点で、（ａ）の本発明と（ｂ）の先行発明とは軌を一にしている。
ところが、（ａ）の本発明と（ｂ）の先行発明とで異なっているのは、図で上下左右のコーナー部Ｃの形状である。
（ｂ）の先行発明ではカートリッジ収納ケース５００のコーナー部Ｃがカートリッジ２１の直角と同じ直角に形成され、しかもそれぞれの稜線は互いに隙間なく密接しているのに対して、（ａ）の本発明ではカートリッジ収納ケース１００のコーナー部Ｃはカートリッジ２１の稜線から一定の距離をおいて離反させる迂回部位１３７を形成して、その内部の稜線に対向する部位に空間部Ｋを形成している点である。
【００１７】
先行発明のカートリッジ収納ケース５００が落下してコーナー部に衝撃が加わると、カートリッジ収納ケース１００の材質を介してその衝撃がストレートにカートリッジに伝わり、収容物であるカートリッジ２１の稜線部が破損される可能性が高い。
ところが、（ａ）の本発明ではカートリッジ収納ケース１００のコーナー部１３７は、カートリッジ２１の稜線から一定の距離をおいて離反させる迂回部位１３７を形成して、その内部の稜線に対向する部位に空間部Ｋを形成しているので、カートリッジ収納ケース１００が落下して、コーナー部１３７に衝撃が加わっても、カートリッジ収納ケース１００の迂回部位１３７の弾力性によってその衝撃が吸収されて、収容物であるカートリッジ２１が安全に保護される。
【００１８】
図２は同じくカートリッジ収納ケースの区画室部分を説明する概念図で、（ａ）は本発明に係る横断面図、（ｂ）は先行発明（図１０）に係る横断面図である。
図２が図１と異なるのは、図１は区画室部分を縦断面で説明しているのに対して図２は区画室部分を横断面で説明している点である。
図２（ａ）および（ｂ）はカートリッジ収納ケース１００の下ケース１００ｄ、５００ｄを示しているが、上ケースも同じ構成である。
図２（ｂ）において、カートリッジ収納の下ケース５００ｄの内部に区画室５００Ｓが形成され、そこに複数のカートリッジ２１がガタツキなく収納されている。一方、図２（ａ）においても、下ケース１００ｄの内部に区画室１００Ｓが形成され、そこに複数のカートリッジ２１がガタツキなく収納されている。
以上の点で、（ａ）の本発明と（ｂ）の先行発明とは軌を一にしている。
（ａ）の本発明と（ｂ）の先行発明とが異なっているのは、図で手前および奥の左右のコーナー部Ｃの形状で、（ｂ）の先行発明では下ケース５００ｄのコーナー部Ｃがカートリッジ２１の直角と同じ直角に形成され、しかもそれぞれの稜線は密接しているのに対して、（ａ）の本発明ではカートリッジ収納ケース１００のコーナー部Ｃは、カートリッジ２１の稜線から一定の距離をおいて離反させる迂回部位３７を形成して、その内部の稜線に対向する部位に空間部Ｋを形成している点である。
【００１９】
カートリッジ２１を収納したこのようなカートリッジ収納ケース５００が落下してコーナー部Ｃに衝撃が加わると、カートリッジ収納ケース１００の材質を介してその衝撃がストレートに伝わり、収容物であるカートリッジ２１の稜線部が破損される可能性が高い。
ところが、（ａ）の本発明ではカートリッジ収納ケース１００のコーナー部３７は、カートリッジ２１の稜線から一定の距離をおいて離反させる迂回部位３７を形成して、その内部の稜線に対向する部位に空間部Ｋを形成しているので、カートリッジ収納ケース１００が落下してコーナー部１３７に衝撃が加わっても、カートリッジ収納ケース１００の迂回部位３７の弾力性によってその衝撃が吸収されて、収容物であるカートリッジ２１が安全に保護される。
【００２０】
以上、図１および図２から判るように、本発明の実施例１に係るカートリッジ収納ケースの区画室部分は内部に立方体又は直方体空間を形成され、その立方体又は直方体空間を形成するカートリッジ収納ケースの全稜線部分に当該稜線を取り囲む部位に迂回部位を形成して、その内部に空間部を形成していることである。
このようにすることにより、コーナー部に衝撃が加わっても、カートリッジ収納ケースの迂回部位の弾力性によってその衝撃が吸収されて、収容物であるカートリッジが安全に保護される。
なお、図ではカートリッジ収納ケースに１つの区画室が形成された場合の例で示したが、本発明はこれに限定されるものではなく、カートリッジ収納ケースに２つの区画室が形成されてもよいし、４つの区画室が形成されても（図５はこの例である）、８つやそれ以上であってもよいことは言うまでもない。その場合の実施例１はそのときのカートリッジ収納ケースの各稜線部分に空間部を設けることになる。
【００２１】
〈実施例２〉
図３および図４は本発明の実施例２をK説明する図で、図３は実施例１の更なる克服点を説明する図で、（イ）は上ケースを除去したときの下ケースに収納されたカートリッジの望ましい自立状態、（ロ）はカートリッジが実際に取りうる傾倒状態をそれぞれ示している。
（イ）において、下ケース１００ｄの底部左右部位に、衝撃吸収のための実施例１に係る迂回部位１３７（実施例１では円形であったが、ここでは矩形としているが、いずれも同じ作用・効果である）が形成されている。両側の迂回部位１３７は図で手前から奥にカートリッジ２１の稜線に沿って底部に細長く延びている。この下ケース１００ｄの隅にカートリッジ２１を１個収容すると、本来は図カートリッジ２１が自立状態を保つのが望ましいが、実際は、（ロ）のように、その底部の全面が接触しているのではなくて、空間部Ｋが形成されているため長さ方向で僅かの面積でしか接触できず、僅かな振動でも簡単に傾倒してしまった。
【００２２】
実施例２はこの欠点を解消するためになされたもので、図４のように、下ケース１００ｄの底部の左右部位に形成された衝撃吸収のための空間部１３７に、底部とツライチとなる高さのリブを複数個（図では３個）１００Ｒ１〜１００Ｒ３、間隔をおいて立設したのが特徴である。
このようにすることにより、下ケース１００ｄの隅にカートリッジ２１を１個収容すると、複数個のリブ１００Ｒがカートリッジ２１の底部を支持してくれるので、自立状態が維持されるようになる。
【００２３】
なお、図では１つの空間部に３個のリブ１００Ｒ１〜１００Ｒ３を設けているが、数に特に限定はない。１個でもよいし、２個以上でもよい。ただし、リブを２個設ける場合は両側近傍とし、１個の場合は中央部とししかもその横幅を広くするのが安定性の点から好ましい。
【００２４】
〈４区画室のカートリッジ収納ケースに適用した例〉
図５〜図７は本発明に係る特徴を備えた区画室を４つ形成して成るカートリッジ収納ケースを説明する図で、図５はその上ケース、下ケースの分離された分解斜視図、図６は図１０に示した上ケースの平面視を（ａ）その側面視を（ｂ）に示した上ケース説明図、図７はカートリッジ収納ケースを説明する図で、（ａ）は図６のＡ矢視図、（ｂ）は区画室の外壁面に設けられる緩衝リブを表したカートリッジ収納ケースの要部外観図である。
カートリッジ収納ケース１００は、例えば磁気テープ巻回リールが内設される扁平体状のカートリッジ２１を収納する場合に好適に用いることができる。
【００２５】
カートリッジ２１は、不図示の磁気テープ巻回リールを、軸線が厚み方向となる向きで内設している。本実施の形態では、カートリッジ２１が正方形の扁平体である場合を例に説明するが、カートリッジは、この他、矩形状の扁平体状であってもよい。
【００２６】
カートリッジ収納ケース１００は、同一構造の上ケース２３と、下ケース２５とを上下から重ね合わせて係合することにより、開閉可能となる。これら上ケース２３と下ケース２５とを係合することにより、その内部には複数の区画室２７が形成されるようになっている。本実施の形態では、４つの区画室２７が形成される。それぞれの区画室２７には、複数のカートリッジ２１を図１０に示すように、厚み方向に並置させてブロック状としたカートリッジ群２９を保持可能としている。なお、カートリッジ２１は、図１０に示すように、強度の弱いテープ取り出し口を区画室２７の中央側になるように、テープ取り出し口を上にする向きで配置する。さらに好ましくは、テープ取り出し口を区画室２７毎で相互に向かい合わせる配置とするとよい。その場合には、テープ取り出し口がカートリッジ収納ケース１００の中央側に向けられて、ケース外方からの衝撃からテープ取り出し口を保護することができる。
【００２７】
ここでは、１つの区画室２７が、５つのカートリッジ２１からなるカートリッジ群２９の体積と、略同一の収納容積を形成している。したがって、各区画室２７には、カートリッジ２１を無造作に詰め込んでも、個々のカートリッジ２１に対する仕切壁がないので、簡単に入れることができる。例えば、カートリッジ２１の２〜３個は纏めて掴んで詰め込むことができ、一つ一つ掴んで挿入する従来品とは、収納の作業効率が格段に向上されている。
【００２８】
このように、複数のカートリッジ２１が、ブロック状に纏めて収納される分、同一の収納面積で複数のカートリッジ２１が分散収納される場合に比べ、収納に寄与しない余剰面積が確保可能となる。カートリッジ収納ケース１００では、この余剰面積部分が衝撃吸収部（所謂クラッシャブルゾーン）として利用されている。
【００２９】
すなわち、上ケース２３、下ケース２５の磁気テープ巻回リール軸線方向両端側には、衝撃吸収部であるフランジ３１，３１が延設されている。それぞれのフランジ３１にはケース持ち運び用の取っ手となる取っ手開口３３が穿設されている。つまり、上ケース２３と下ケース２５とが係合されたカートリッジ収納ケース１００は、いずれか一方の取って開口３３に手を入れて、他方のフランジ３１が下方となるようにして持ち運びすることが可能となっている。また、カートリッジ収納ケース１００は、両手で両側の取っ手開口３３、３３を掴んで、水平方向にして持ち運びしてもよい。
【００３０】
上記のように、一方の取っ手開口３３を片手で掴み、他方のフランジ３１が下方となるようにしてカートリッジ収納ケース１００を持ち運ぶ際、仮にカートリッジ収納ケース１００が手から滑り落ちると、カートリッジ収納ケース１００は、下方のフランジ３１が床面に衝突する。この際、衝撃吸収部となるフランジ３１は、カートリッジ収納ケース１００及びカートリッジ群２９の荷重により変形し、その変形によって衝撃エネルギーが吸収されて、収納されたカートリッジ２１に対する衝撃が緩和されるようになっている。
【００３１】
一般に、カートリッジ２１は、リール軸方向に加わる衝撃に弱い。これは、巻きテープの端面にはテープ飛び出しが発生している場合があり、このテープ飛び出しによりテープ端がリールフランジに当たることで、テープが潰れたり折れ曲がる等すると、磁気テープの円滑な巻き取り繰り出しが阻害され、最悪の場合、読み書きができなくなってしまうためである。本実施の形態では、カートリッジ２１のリール軸線方向に、衝撃吸収部となるフランジ３１を配設することにより、衝撃に対して脆弱なリール軸線方向の耐衝撃性が向上されるようになっている。
【００３２】
図７（ｂ）は区画室の外壁面に設けられる緩衝リブを表したカートリッジ収納ケースの要部外観図である。
また、各区画室２７の壁面には、区画室２７から外方へ突出する緩衝リブ３５が形成されている。したがって、外部から物体がカートリッジ収納ケース１００に衝突した場合であっても、緩衝リブ３５により、ケース外壁面とカートリッジ２１との間には空隙が形成されることとなり、この緩衝リブ３５がクッション材となって耐衝撃性が高まるようになっている。
【００３３】
各区画室２７のコーナー部には、図７（ｂ）に示すように、カートリッジ２１の稜線部を包囲するような空間部３７、１３７が形成され（実施例１）、さらに底の空間部１３７には複数個（図では３個）のリブ１００Ｒ１、１００Ｒ２、１００Ｒ３が形成され（実施例２）、カートリッジ２１を収納した状態で、カートリッジ収納ケース１００を落下させた場合等の、カートリッジ稜線部の変形を効果的に阻止する衝撃吸収機能と自立機能が備えられている。
【００３４】
カートリッジ収納ケース１００は、相互に係合する凸部（凸条）４１，と凹部（凹溝）４３とを備えた同一構造の上ケース２３と下ケース２５とからなる。本実施の形態では、４つの区画室２７を包囲する周囲に、図６のケースセンター線４５を対称に、上下に凸条４１と凹溝４３とが形成されている。すなわち、上ケース２３、下ケース２５は、センター線４５を挟み、一方にコ字状の凸条４１が連続して形成され、他方にコ字状の凹溝４３が連続して形成されている。
【００３５】
同一構造である上ケース２３と下ケース２５とが、上下に組み合わされたときに、凸条４１が凹溝４３に入り込み、双方が係合する。これにより、区画室２７が密閉されて、耐水性を得ることができ、水に浮くことも可能である。また、ほこり、湿気、跳ねかけられた水、及び他の有害物質に対してカートリッジ２１を保護することができる。つまり、一つのケースが、蓋としても、身としても使用されることとなる。このことから一つの金型により成形した一種類のケースを用いて、凸条４１、凹溝４３により開閉が可能となる区画室２７の形成されるカートリッジ収納ケース１００が構成されている。
【００３６】
また、各区画室２７同士の間には、仕切り部４７が設けられている。この仕切り部は、衝撃に対する変形が容易となるようにその形状及び後述の厚みで形成されている。すなわち、落下時に仕切り部４７が変形することでその衝撃を緩和する。仕切り部４７は、落下方向がフランジ３１のある側からであっても、或いはそれと垂直方向であってもよいように、いずれの方向にも介在している。本実施の形態では、４方に配設された区画室２７を４つに仕切るように十字方向の仕切り部４７が形成されている。
【００３７】
カートリッジ収納ケース１００は、カートリッジ群２９が収納される区画室２７同士の間に、仕切り部４７が介在することで、例えば落下等により各カートリッジ群２９毎に衝撃が加わった場合であっても、仕切り部４７が衝撃を吸収し、カートリッジ群２９群同士の慣性による衝撃力が、相互に影響を及ぼさないようになっている。
【００３８】
ところで、カートリッジ群２９を収納したカートリッジ収納ケース１００は、外形状と略同一の内形状となった不図示の段ボール箱に収容される。このため、当該段ボール箱からの取り出し性を良好とするため、フランジ３１の両側には略４５度の傾斜辺となった面取り部４９が形成されている。これにより、段ボール箱に収容されたカートリッジ収納ケース１００は、段ボール箱内壁面との間に、この面取り部４９による三角穴が形成されて、手指の挿入による容易な取り出しが行えるようになっている。
【００３９】
さらに、この面取り部４９には、図示は省略するが、面取り部４９に摘み片を延設した構成としてもよい。この場合には、同一構造の上ケース２３と下ケース２５とが図１０に示すように、区画室２７を形成して上下方向から重ねられたとき、双方の摘み片５１を上下に離反することにより、上ケース２３と下ケース２５との係合が解除され易くなる。
【００４０】
さらに、上ケース２３と下ケース２５との最外周には、周縁を僅かに折り曲げた段曲げ部が形成されている。この段曲げ部は、上記の凸条４１と凹溝４３と同様に、センター線４５を対称にいずれか一方に形成されている。これにより、上ケース２３と下ケース２５とを重ね合わせた際に、段曲げ部が他方の周縁に被さり、防塵性、防水性が向上されるようになっている。
【００４１】
さらに、各区画室２７の外部底面部には、相互に遊嵌可能な大小の四角枠部５３ａ，５３ｂが膨出されている。これにより、カートリッジ収納ケース１００が上下方向に積載されても、上側カートリッジ収納ケース１００下面の四角枠部５３ａ，５３ｂが、下側カートリッジ収納ケース１００上面の四角枠部５３ｂ，５３ａに嵌合して、相対的な横ずれ規制されて、段積み時の崩れ防止が図られるようになっている。
【００４２】
上ケース２３、下ケース２５のそれぞれは、可塑性樹脂の一体成形品からなる。このため、比較的取り扱い性が容易な材料を用いて、ケートリッジを確実に保護する堅牢性と、適宜な衝撃吸収性を備えた上ケース２３、下ケース２５が容易かつ安価に量産可能となっている。
【００４３】
この可塑性樹脂は、例えばポリエチレンテレフタレート、ポリプロピレン、ポリスチレンのいずれかを含むものとすることができる。可塑性樹脂が、ポリエチレンテレフタレート、ポリプロピレン、ポリスチレンのいずれかとなることで、材料の入手が容易となるとともに、廃品となった後の回収・再利用が可能で、容易かつ安価な真空成形が可能となる。
【００４４】
また、可塑性樹脂は、透光性を有するものであることが好ましい。これにより、上ケース２３、下ケース２５が係合され、区画室２７が密閉状態となった場合においても、区画室２７内に収納されるカートリッジ２１が外部より視認可能となり、密閉区画室２７内のカートリッジ収納状況が容易に把握可能となる。
【００４５】
また、厚みが０．５〜２．０ｍｍの可塑性樹脂のシートを用いて、延伸加工により形成することで、複数のカートリッジ群を収納する区画室の最低構造強度が経済的に確保されるとともに、ケース全体の重量も最低強度を満足しつつ最小とすることができる。また、上記厚みで形成されることで、外力が加えられた際の適度な変形が可能となり、収納カートリッジに対する衝撃吸収作用を最適に確保することが可能となる。つまり、これより薄厚であれば、変形が容易となり過ぎ、衝撃吸収効果が低下する。また、これより厚くなれば、変形し難くなり、衝撃力が直接収納カートリッジに伝達されてしまうことになる。本構成では、可塑性樹脂のシート厚みが上記厚みに設定されることで、最適な衝撃吸収部（クラッシャブルゾーン）の形成が可能となる。
【００４６】
このようなカートリッジ収納ケースによれば、複数のカートリッジを厚み方向に並置させてブロック状としたカートリッジ群を保持する少なくとも一つの区画室を形成し、かつ区画室のコーナー部分に空間部を形成したので、複数のカートリッジをブロック状に纏めた分、複数のカートリッジを纏めて区画室に納めることができ、短時間に効率の良い収納が可能となり、収納作業効率を大幅に向上させることができ、かつ空間部がケース落下時等の衝撃を吸収し、収容カートリッジに対する耐衝撃性を向上させることができる。
【図面の簡単な説明】
【００４７】
【図１】１区画室のカートリッジ収納ケースに適用する本発明の実施例１に係り、（ａ）は本発明に係る縦断面図、（ｂ）は先行発明（図１０）に係る縦断面図である。
【図２】図１の区画室部分の（ａ）は本発明に係る横断面図、（ｂ）は先行発明（図１０）に係る横断面図である。
【図３】実施例１の弱点を説明する図で、（イ）はカートリッジの自立状態、（ロ）は傾倒状態を示している。
【図４】本発明の実施例２に係るリブを示す図である、
【図５】４区画室のカートリッジ収納ケースに適用する実施例１と２を説明する上ケース、下ケースの分離された分解斜視図である。
【図６】図５に示した上ケースの平面視を（ａ）その側面視を（ｂ）に示した上ケース説明図である。
【図７】カートリッジ収納ケースを説明する図で、（ａ）は図６のＡ矢視図、（ｂ）は区画室の外壁面に設けられる緩衝リブを表したカートリッジ収納ケースの要部外観図である。
【図８】複数校のカートリッジを収納する従来方法１の説明図である。
【図９】複数校のカートリッジを収納する従来方法２の説明図である。
【図１０】本発明の先行発明に係る４区画室のカートリッジ収納ケースの上ケース、下ケースの分離された分解斜視図である。
【図１１】図１０のカートリッジを用いて、複数個のカートリッジをカートリッジ収納ケースに収納する手順を示す図である。
【符号の説明】
【００４８】
２１  カートリッジ
２３  上ケース
２５  下ケース
２７、１００Ｓ  区画室
３７、１３７  迂回部位
４１  凸条（凸部）
４３  凹溝（凹部）
４７  仕切り部
１００  カートリッジ収納ケース
１００ｄ  下ケース
１００ｕ  上ケース
１００Ｒ１〜１００Ｒ  リブ
Ｋ  空間部
Ｃ  コーナー部
Ｃ１  第１カートリッジ群
Ｃ２  第２カートリッジ群
【図１】
2007197080.tif 000003
【図２】
2007197080.tif 000004
【図３】
2007197080.tif 000005
【図４】
2007197080.tif 000006
【図５】
2007197080.tif 000007
【図６】
2007197080.tif 000008
【図７】
2007197080.tif 000009
【図８】
2007197080.tif 000010
【図９】
2007197080.tif 000011
【図１０】
2007197080.tif 000012
【図１１】
2007197080.tif 000013